(57)【要約】【課題】台所用リモコンは風呂リモコンほどの水密性は要求されないものの、水仕事をする台所に設置されるため、水が台所用リモコンにかかる恐れがある。そのかかった水が台所用リモコン内に浸入して内部の電子部品に触れると、台所用リモコンが故障する恐れがある。なお、風呂リモコンほどの水密性を持たせたのではコストが掛かり、現実的ではない。【解決手段】後ケース２の前面に、後ケース２の周縁のうち、上縁２１および左右縁２２ａ、２２ｂから所定距離離れた壁部を設け、上縁２１に対向する上壁部３１を中央が高い山型に形成し、上記壁面を伝って後ケース２内に浸入する湯水を上壁部３１で受けて左右に流し、左右縁に対向する左右壁部３２ａ、３２ｂの外側を伝わせて下方に流すこととした。【選択図】  図３
2013134023.tif 000002
【特許請求の範囲】
【請求項１】
台所の壁面に取り付けられる台所用リモコンにおいて、上記壁面に固定される後ケースと、この後ケースに取り付けられる前ケースとを備え、後ケースの前面に、後ケースの周縁のうち、上縁および左右縁から所定距離離れた壁部を設け、上縁に対向する上壁部を中央が高い山型に形成し、上記壁面を伝って後ケース内に浸入する湯水を上壁部で受けて左右に流し、左右縁に対向する左右壁部の外側を伝わせて下方に流すことを特徴とする台所用リモコン。
【請求項２】
上記左右壁部より内側に開口部が形成されており、この開口部を更に内側から囲んで、開口部から内部へと浸入した湯水を左右壁部の外側に導く排水部を設けたことを特徴とする請求項１に記載の台所用リモコン。
【発明の詳細な説明】
【技術分野】
【０００１】
本発明は、屋外などに設置された給湯装置の操作をするために、台所に設置される台所用リモコンに関する。
【背景技術】
【０００２】
浴室や台所に温水を供給する給湯装置は、燃焼ガスが発生するため屋外に設置される場合が多い。この給湯装置の操作を行うための操作盤が給湯装置本体に設置されていたのでは、操作する度に屋外の設置場所に行かなければならず、使い勝手が非常に悪くなる。そのため、従来より、浴室に風呂リモコンを取り付け、台所には台所用リモコンを取り付け、各々浴室内から操作し、また台所から操作できるように構成されている。
【０００３】
風呂リモコンは浴室内に設置されることから、完全な水密構造が採用されており、シャワーなどで風呂リモコンに直接湯水を掛けても、風呂リモコンの内部へは湯水が浸入しないように設計されている。
【０００４】
これに対して台所用リモコンの場合には、台所用リモコンに直接シャワーなどで湯水がかかることが想定しづらいため、風呂リモコンほどの水密性は要求されない。そのため、前側のケースと後側のケースを単に合わせた通常のケーシングが採用されている（例えば、特許文献１参照）。
【先行技術文献】
【特許文献】
【０００５】
【特許文献１】特開２００１−２６８６７３号公報（図１）
【発明の概要】
【発明が解決しようとする課題】
【０００６】
インターホンや各種家電の操作を行うリモコンが居間などの台所以外の屋内に設置される場合がある。このような居間などでは回りに水道などがないので、ほとんど湯水が掛かる恐れはないが、台所は水道があり、また水仕事を行う場所であるから、風呂リモコンほどではないが、居間などに設置されるリモコンよりは湯水が掛かる恐れがある。そのため、上記従来の台所用リモコンのように、前後から２つのケースを合わせただけの構造では、万一湯水がかかった場合に、２つのケースの合わせ目から湯水がケース内部に浸入する恐れがあり、一旦内部に湯水が侵入すると、内部の電子部品に湯水が接触し、故障の原因となる。
【０００７】
但し、台所用リモコンに風呂リモコンと同様の水密性を確保させれば上記の問題は解消するが、台所に設置するには過剰品質であり、コストが高くなると言う不具合が生じるので、風呂リモコンと同じ水密性を確保する対策は採用することができない。
【０００８】
そこで本発明は、上記の問題点に鑑み、コストアップを可及的に抑えつつ上記の不具合のない台所用リモコンを提供することを課題とする。
【課題を解決するための手段】
【０００９】
上記課題を解決するために本発明による台所用リモコンは、台所の壁面に取り付けられる台所用リモコンにおいて、上記壁面に固定される後ケースと、この後ケースに取り付けられる前ケースとを備え、後ケースの前面に、後ケースの周縁のうち、上縁および左右縁から所定距離離れた壁部を設け、上縁に対向する上壁部を中央が高い山型に形成し、上記壁面を伝って後ケース内に浸入する湯水を上壁部で受けて左右に流し、左右縁に対向する左右壁部の外側を伝わせて下方に流すことを特徴とする。
【００１０】
風呂リモコンのように完全な水密構造を採用するのではなく、従来の台所用リモコンと同様に前ケースと後ケースとの合わせ面から湯水の浸入をある程度許容する構造とするが、仮に合わせ面から湯水が浸入しても、壁部でその湯水を堰き止めて壁部で囲まれた範囲内に湯水が浸入しないようにした。
【００１１】
なお、上記左右壁部より内側に開口部が形成されている場合には、この開口部を更に内側から囲んで、開口部から内部へと浸入した湯水を左右壁部の外側に導く排水部を設けることが望ましい。
【発明の効果】
【００１２】
以上の説明から明らかなように、本発明は、台所用リモコンを風呂リモコンと同様の水密構造にしなくてもケース内の電子部品に接触するまで湯水が浸入しないので、台所用リモコンの故障の恐れが減少する。
【図面の簡単な説明】
【００１３】
【図１】本発明による台所用リモコンの外形を示す斜視図
【図２】後カバーの形状を示す斜視図
【図３】後カバーに浸入した湯水の流れを示す図
【発明を実施するための形態】
【００１４】
図１を参照して、１は本発明による台所用リモコンである。この台所用リモコン１は台所の壁面Ｗに取り付けられており、前面に設けられた各種の操作スイッチを押し操作することにより屋外に設置されている図示しない給湯装置の制御を行うものである。この各種操作スイッチを押し操作する際に、指が濡れている場合や、シンク内の水がはねると、壁面Ｗが濡れる恐れがある。壁面Ｗを濡らした水は壁面Ｗに沿って下方に流れるが、その流れが台所用リモコン１の設置位置に到達すると、流れ落ちた水は台所用リモコン１の背面へと回り込むことになる。
【００１５】
図２を参照して、この台所用リモコン１は壁面Ｗにネジなどで固定される後カバーと、この後カバーに係合する前カバー１１とから構成されている。図３を合わせて参照して、後カバー２の上縁２１から内側に所定距離の位置に上壁部３１が形成されている。この上壁部３１は中央部分が高くなった山型をしている。また、右縁２２ａおよび左縁２２ｂから所定距離内側の位置にそれぞれ右壁部３２ａと左壁部３２ｂとが設けられている。
【００１６】
上壁部３１の左右端部はそれぞれ右壁部３２ａおよび左壁部３２ｂに連結している。そのため、上記のように台所の壁面Ｗを伝って流れ落ち、台所用リモコン１の背面に回り込んだ水が上縁２１を乗り越えて後ケース２内へ浸入しても、その水は上壁部３１によって堰き止められ上壁部３１の上面を伝って左右に分けられる。そして、その左右に分けられた水は右壁部３２ａおよび左壁部３２ｂを伝って下に流れる。これにより、浸入した水が上壁部３１および左右壁部３２ａ、３２ｂの内側へ浸入することが防止される。
【００１７】
ところで、右壁部３２ａおよび左壁部３２ｂの内側にＵ字状の開口部３０ａによって弾性片３０が形成されている。この弾性片３０の裏面には突起３０ｂが形成されており、図示しない取り付け用の金具に形成した位置決め穴にこの突起３０ｂが嵌まることによって、位置決めが行われる。開口部３０ａが形成されているので、後カバー２の背面に水が回り込むと、この開口部３０ａから内部に水が浸入する恐れが生じる。そこで、この開口部３０ａを内側から囲う排水トラップ３３，３５を設けた。
【００１８】
仮に開口部３０ａから水が浸入しても、その水はこの排水トラップ３３，３５で受けられ、排水部３４，３６から左右壁部３２ａ、３２ｂの外側に排水される。このため、開口部３０ａから浸入した水が内部の電子部品に作用する恐れが低減される。
【００１９】
このように、万一後カバー２内に水が浸入しても上壁部３１および左右壁部３２ａ、３２ｂの外側を流れるので、上壁部３１および左右壁部３２ａ、３２ｂの内側に位置する電子部品（図示せず）に、流れ込んだ水が接触することを防止できる。
【００２０】
なお、本発明は上記した形態に限定されるものではなく、本発明の要旨を逸脱しない範囲内において種々の変更を加えてもかまわない。
【符号の説明】
【００２１】
１  台所用リモコン
２  後カバー
３１  上壁部
３２ａ  右壁部
３２ｂ  左壁部
【図１】
2013134023.tif 000003
【図２】
2013134023.tif 000004
【図３】
2013134023.tif 000005